(57)【要約】【課題】  設置状態を切り替えて使用するのに適したモニタ部を有するＩＡＢＰ駆動装置を提供する。【解決手段】  ＩＡＢＰ駆動装置のモニタ部（５０）が、筐体内部に収納されており圧力発生手段を制御する制御部（５２）と、筐体正面に配置されており前記制御部の制御により前記バルーンの膨張及び収縮タイミングに関する情報を表示する表示部（５４）と、筐体背面に配置されており前記モニタ設置部に接続されるモニタ接続部（５８）と、を有するモニタ筐体部と、前記筐体正面と前記筐体背面とを接続する筐体側面のうち、前記モニタ筐体部の上部に位置する筐体上側面に設けられ、前記制御部の制御によりバルーンカテーテルの駆動状態に応じて点灯状態が変化するパイロットランプ（５５）と、前記筐体上側面を含む前記筐体側面に沿って、前記モニタ筐体部及び前記パイロットランプを周方向に取り囲むように、帯状に設けられる衝撃吸収部（５７）と、を有するＩＡＢＰ駆動装置。【選択図】  図３
2015188677.tif 000002
【特許請求の範囲】
【請求項１】
バルーンが接続されたバルーンカテーテルを取り付け、前記バルーンを膨張及び収縮させるＩＡＢＰ駆動装置であって、
前記バルーンカテーテルを接続するカテーテル接続部が形成されており前記バルーンを膨張及び収縮させるための圧力発生手段を収納する本体筐体部と、前記本体筐体部に設けられるモニタ設置部と、を有する装置本体と、
前記モニタ設置部に着脱自在に取り付け可能であって、前記装置本体と通信可能なモニタ部と、を有し、
前記モニタ部は、
筐体内部に収納されており前記圧力発生手段を制御する制御部と、筐体正面に配置されており前記制御部の制御により前記バルーンの膨張及び収縮タイミングに関する情報を表示する表示部と、筐体背面に配置されており前記モニタ設置部に接続されるモニタ接続部と、を有するモニタ筐体部と、
前記筐体正面と前記筐体背面とを接続する筐体側面のうち、前記モニタ筐体部の上部に位置する筐体上側面に設けられ、前記制御部の制御により前記バルーンカテーテルの駆動状態に応じて点灯状態が変化するパイロットランプと、
前記筐体上側面を含む前記筐体側面に沿って、前記モニタ筐体部及び前記パイロットランプを周方向に取り囲むように、帯状に設けられる衝撃吸収部と、を有するＩＡＢＰ駆動装置。
【請求項２】
前記筐体正面と前記筐体背面とを接続する方向である奥行き方向の長さが、前記衝撃吸収部の一部であって前記パイロットランプに接触するランプカバー部分より、前記パイロットランプの方が長いことを特徴とする請求項１に記載のＩＡＢＰ駆動装置。
【請求項３】
前記モニタ筐体部は、前記筐体正面であって前記表示部の下方に配置されており、操作者が前記制御部に対して信号を入力するための入力操作部を有し、
前記モニタ筐体部では、前記入力操作部が配置される筐体下部が、前記表示部が配置される筐体上部に対して、前記筐体正面側に起き上がる方向に屈曲していることを特徴とする請求項１又は請求項２に記載のＩＡＢＰ駆動装置。
【請求項４】
前記モニタ部は、前記筐体背面であって前記モニタ接続部の両側に配置され、前記モニタ部と前記モニタ設置部との固定状態を解除するための１対のロックレバーを有することを特徴とする請求項１から請求項３までの何れかに記載のＩＡＢＰ駆動装置。
【発明の詳細な説明】
【技術分野】
【０００１】
本発明は、ＩＡＢＰ（大動脈バルーンポンピング）において被駆動機器を駆動するために用いられるＩＡＢＰ駆動装置に関する。
【背景技術】
【０００２】
ＩＡＢＰにおいてバルーンカテーテルを駆動するために用いられる駆動装置では、被駆動機器であるバルーンの駆動状態を、チャート等の形式で表示可能な表示装置が搭載されているものが提案されている。特許文献１に記載されているように、ＩＡＢＰでは、心臓の拍動に合わせてバルーンを膨張・収縮させる必要があるため、患者の容態の変化に伴うタイミング検出状態の変化や、バルーンの圧力変化などを常にモニタリングし、万が一異常が発生した場合には、素早くオペレータに対して警告を発する必要がある。
【０００３】
一方で、ＩＡＢＰ駆動装置の使用環境においては、ＩＡＢＰ駆動装置の監視・操作を、患者のベッドサイド又は装置本体が置かれている場所と同じ場所で行いたい場合と、患者及び装置本体が配置された場所から離れて行いたい場合とがある。例えば後者は、装置のオペレータが、患者のいる滅菌空間に入ること無く、ＩＡＢＰ駆動装置の監視・操作を行いたいような場合である。
【先行技術文献】
【特許文献】
【０００４】
【特許文献１】特開平９−２２５０２２号公報
【発明の概要】
【発明が解決しようとする課題】
【０００５】
しかしながら、従来のＩＡＢＰ駆動装置は、装置本体から表示装置を簡単に取り外しできず、装置本体に表示装置を取り付けた使用状態と、装置本体から離れた場所に表示装置を設置する使用状態との間で、使用状態を迅速に切り替えることが難しいという問題を有している。
【０００６】
本発明は、このような実状に鑑みてなされ、表示装置であるモニタ部を装置本体に取り付けた使用状態と、装置本体から離れた場所にモニタ部を設置する使用状態との間で、使用状態を迅速に切り替えるのに適したモニタ部を有するＩＡＢＰ駆動装置を提供することである。
【課題を解決するための手段】
【０００７】
上記目的を達成するために、本発明に係るＩＡＢＰ駆動装置は、
バルーンが接続されたバルーンカテーテルを取り付け、前記バルーンを膨張及び収縮させるＩＡＢＰ駆動装置であって、
前記バルーンカテーテルを接続するカテーテル接続部が形成されており前記バルーンを膨張及び収縮させるための圧力発生手段を収納する本体筐体部と、前記本体筐体部に設けられるモニタ設置部と、を有する装置本体と、
前記モニタ設置部に着脱自在に取り付け可能であって、前記装置本体と通信可能なモニタ部と、を有し、
前記モニタ部は、
筐体内部に収納されており前記圧力発生手段を制御する制御部と、筐体正面に配置されており前記制御部の制御により前記バルーンの膨張及び収縮タイミングに関する情報を表示する表示部と、筐体背面に配置されており前記モニタ設置部に接続されるモニタ接続部と、を有するモニタ筐体部と、
前記筐体正面と前記筐体背面とを接続する筐体側面のうち、前記モニタ筐体部の上部に位置する筐体上側面に設けられ、前記制御部の制御により前記バルーンカテーテルの駆動状態に応じて点灯状態が変化するパイロットランプと、
前記筐体上側面を含む前記筐体側面に沿って、前記モニタ筐体部及び前記パイロットランプを周方向に取り囲むように、帯状に設けられる衝撃吸収部と、を有する。
【０００８】
本発明に係るＩＡＢＰ駆動装置の表示装置となるモニタ部は、前記モニタ筐体部及び前記パイロットランプを周方向に取り囲むように、帯状に設けられる衝撃吸収部を有するため、モニタ部を万が一落下させてしまった場合にも、強い衝撃がモニタ筐体部及びパイロットランプに伝わることを防止し、モニタ部の破損や故障を防ぐことができる。したがって、このようなモニタ部を備えるＩＡＢＰ駆動装置は、装置本体にモニタ部を取り付けた使用状態と、装置本体から離れた場所にモニタ部を設置する使用状態との間で、使用状態を頻繁に変更するような使用態様に適している。また、筐体上側面に設けられたパイロットランプは筐体正面側からも、筐体背面側からも好適に視認されるため、良好な視認性を有する。
【０００９】
また、例えば、前記筐体正面と前記筐体背面とを接続する方向である奥行き方向の長さが、前記衝撃吸収部の一部であって前記パイロットランプに接触するランプカバー部分より、前記パイロットランプの方が長くても良い。
【００１０】
パイロットランプの奥行き方向の長さを、衝撃吸収部のランプカバー部分の奥行き方向の長さより長くすることにより、パイロットランプを筐体上側面、筐体左側面及び筐体右側面からも好適に視認でき、パイロットランプの視認性が向上する。したがって、このようなＩＡＢＰ駆動装置は、色々な方向からパイロットランプの点灯状態を確認してバルーンカテーテルの駆動状態を確認できるため、モニタ部の設置姿勢を選ばず、装置本体とは別の場所にモニタ部を設置する使用状態にも、好適に対応できる。
【００１１】
また、例えば、前記モニタ筐体部は、前記筐体正面であって前記表示部の下方に配置されており、操作者が前記制御部に対して信号を入力するための入力操作部を有しても良く
前記モニタ筐体部では、前記入力操作部が配置される筐体下部が、前記表示部が配置される筐体上部に対して、前記筐体正面側に起き上がる方向に屈曲していても良い。
【００１２】
モニタ筐体部が屈曲していることにより、入力操作部の操作性が向上するため、このようなモニタ部を有するＩＡＢＰ駆動装置は、モニタ部の設置姿勢を選ばず、装置本体から異なる場所にモニタ部を設置する使用状態にも、好適に対応できる。
【００１３】
また、例えば、前記モニタ部は、前記筐体背面であって前記モニタ接続部の両側に配置され、前記モニタ部と前記モニタ設置部との固定状態を解除するための１対のロックレバーを有しても良い。
【００１４】
ロックレバーを有することにより、モニタ部が意図せず装置本体から外れてしまうことを防止できる。また、一対のロックレバーを備えるモニタ部は、モニタ部をモニタ設置部から取り外す際に、作業者が両手でモニタ部を把持することになるため、作業中にモニタ部を落下させる危険性を低減することができる。また、両手でモニタ部を把持する際に、筐体側面の衝撃吸収部がすべり止めとして機能し、手が滑ってモニタ部を落としてしまう危険性を低減できる。
【図面の簡単な説明】
【００１５】
【図１】図１は、本発明の一実施形態に係るＩＡＢＰ駆動装置の概略構成図である。
【図２】図２は、本発明の一実施形態に係るＩＡＢＰ駆動装置の全体外観図である。
【図３】図３は、図２に示すＩＡＢＰ駆動装置のモニタ設置部及びモニタ部の背面を表す斜視図である。
【図４】図４は、図２に示すＩＡＢＰ駆動装置のモニタ挿入部を表す斜視図である。
【図５】図５は、図２に示すＩＡＢＰ駆動装置のモニタ部の正面図である。
【図６】図６は、図２に示すＩＡＢＰ駆動装置のモニタ部の筐体背面側を表す斜視図である。
【図７】図７は、図２に示すＩＡＢＰ駆動装置におけるモニタ挿入部とソケット部の構造を表す模式図である。
【図８】図８は、図２に示すＩＡＢＰ駆動装置のモニタ部の側面図である。
【発明を実施するための形態】
【００１６】
以下、本発明に係るＩＡＢＰ駆動装置を、図面に示す実施形態に基づき、詳細に説明する。
【００１７】
図１は、本発明の一実施形態に係るＩＡＢＰ駆動装置１０の概略構成図である。ＩＡＢＰ駆動装置１０は、ＩＡＢＰ用バルーンカテーテル８０のバルーン８２を膨張及び収縮させるために用いられる駆動装置である。被駆動機器であるバルーンカテーテル８０は、ＩＡＢＰ駆動装置１０のカテーテル接続部２４に接続して使用される。ＩＡＢＰ用バルーンカテーテル８０の先端には、心臓の拍動に合わせて拡張及び収縮するバルーン８２が備えられており、バルーン８２は下行大動脈内に留置されて使用される。
【００１８】
図２は、ＩＡＢＰ駆動装置１０の外観図である。図１及び図２に示すように、ＩＡＢＰ駆動装置１０は、本体筐体部２２及びモニタ設置部３０を有する装置本体２０と、モニタ筐体部５１、パイロットランプ５５、衝撃吸収部５７等を有するモニタ部５０とを有する。本体筐体部２２の内部には、バルーン８２を膨張・収縮するための圧力発生手段２６が収納されている。圧力発生手段２６は、バルーン８２を膨張させるヘリウム等のガスを貯蔵するガスタンクや、所定の圧力に保たれる圧力室や、圧力を伝達する圧力伝達隔壁装置（アイソレータ）や、圧力室を接続する配管及び電磁弁等を有している。圧力発生手段２６については、任意の公知技術を採用すればよく、その詳細な説明については省略する。本体筐体部２２の底部には、キャスター２８が備えられており、必要に応じてＩＡＢＰ駆動装置１０を迅速に移動させることが可能である。
【００１９】
モニタ部５０を設置するモニタ設置部３０は、本体筐体部２２の上方に設けられている。図３は、モニタ設置部３０及びモニタ設置部３０に設置されたモニタ部５０の背面を表す斜視図である。図１及び図３に示すように、モニタ設置部３０は、本体筐体部２２から鉛直方向に伸びる柱状の基部３２と、基部３２の上端に設けられ所定の方向に可動する可動部３４と、可動部３４に接続されるモニタ挿入部４０とを有する。
【００２０】
モニタ設置部３０の基部３２は、円柱形状を有しており、基部３２の下端は本体筐体部２２に固定されている。可動部３４は、基部３２を中心軸とする回転方向（矢印９０）に可動する第１可動部３４ａと、水平に配置される軸を中心軸とする回転方向（矢印９２）に可動する第２可動部３４ｂとを有する。モニタ挿入部４０及びモニタ挿入部４０に接続されるモニタ部５０は、第１可動部３４ａにより、鉛直方向の中心軸を有する水平方向の姿勢変更を行うことができる。また、モニタ挿入部４０及びモニタ挿入部４０に接続されるモニタ部５０は、第２可動部３４ｂにより、水平方向の中心軸を有する傾き方向の姿勢変更を行うことができる。
【００２１】
第１可動部３４ａ、第２可動部３４ｂの可動域は特に限定されないが、たとえば第１可動部３４ａの可動域は、図２に示すようにモニタ部５０を前向きに配置できる状態を含む３３０度とすることができる。第２可動部３４ｂは、少なくともモニタ挿入部４０が鉛直方向に延在する第１姿勢から、モニタ挿入部４０が水平方向に延在する第２姿勢まで傾きが変えられるように可動することが好ましい。本実施形態における第２可動部３４ｂの可動域は、モニタ設置部３０に取り付けられたモニタ部５０の表示部５４が水平下向きになる状態から、表示部５４が斜め上方を向くようにモニタ部５０が後傾した状態までの１３５度である。
【００２２】
図４は、モニタ部５０が取り外された状態のモニタ設置部３０の斜視図である。モニタ挿入部４０は、可動部３４から上方側（水平方向から鉛直上向き）に伸びている。モニタ挿入部４０の先端付近には、モニタ挿入部４０の挿入方向に沿う切り込み４３によって第１部分４２ａと第２部分４２ｂとに分割された分割先端部４２が形成されている。第１部分４２ａと第２部分４２ｂとは、切り込み４３を基準軸として対称な形状を有している。
【００２３】
可動部３４の正面側には、モニタ部５０を補助的に支持する補助係合突起３６が設けられている。補助係合突起３６は、モニタ挿入部４０がソケット部５８に挿入された際、モニタ部５０にソケット部５８とは別途形成された補助係合受け部６９（図６参照）に挿入され、モニタ挿入部４０とともにモニタ部５０を支持する。
【００２４】
図１及び図２に示すように、モニタ部５０は、モニタ設置部３０に着脱自在に取り付けられている。モニタ部５０は、略矩形平板状の形状を有しているモニタ筐体部５１と、モニタ筐体部５１の中央上部に設けられるパイロットランプ５５と、モニタ筐体部５１及びパイロットランプ５５を周方向に取り囲むように、帯状に設けられる衝撃吸収部５７とを有する。また、モニタ部５０は、不図示のケーブルによって本体筐体部２２と接続されており、装置本体２０と通信可能である。
【００２５】
モニタ部５０のモニタ筐体部５１は、制御部５２と、表示部５４と、入力操作部５６と、モニタ接続部としてのソケット部５８等を有する。制御部５２は、モニタ筐体部５１の筐体内部に収納されており、マイクロプロセッサ及びメモリ等によって構成される。制御部５２は、装置本体２０、バルーンカテーテル８０及びモニタ部５０における他の部分から信号を受け取るとともに演算処理を実施し、装置本体２０の圧力発生手段２６や、表示部５４及びパイロットランプ５５等の制御を行う。
【００２６】
図５は、モニタ部５０を正面側から視た平面図である。表示部５４は、モニタ筐体部５１の筐体正面５１ａに配置されており、制御部５２の制御により、バルーン８２の膨張及び収縮タイミングに関する情報など、被駆動機器であるバルーンカテーテル８０の駆動状態を、チャートなどの形式で表示する。
【００２７】
入力操作部５６は、表示部５４と同様に、モニタ筐体部５１の筐体正面５１ａに配置されており、特に表示部５４の下方に配置されている。入力操作部５６は、複数のボタン、選択キー等によって構成されており、ＩＡＢＰ駆動装置１０の操作者は、入力操作部５６を介して操作信号を入力し、ＩＡＢＰ駆動装置１０の駆動開始及び停止、駆動条件の変更等を行うことができる。モニタ部５０の側面図である図８等に示すように、入力操作部５６が配置されているモニタ筐体部５１の筐体下部５１ｊは、表示部５４が配置されているモニタ筐体部５１の筐体上部５１ｈに対して、筐体正面５１ａ側に起き上がる方向に屈曲している。図８に示すように、筐体下部５１ｊは、筐体上部５１ｈに対して１５度〜２０度傾斜した形状を有しており、このようなモニタ部５０は、表示部５４を鉛直に近い状態に立てた状態で、入力操作部５６のボタン操作を正確に行うことができるため、視認性と操作性を両立できる。
【００２８】
パイロットランプ５５は、モニタ筐体部５１の上部に位置する筐体上側面５１ｃに設けられ、制御部５２の制御によりバルーンカテーテル８０の駆動状態に応じて点灯状態が変化する。パイロットランプ５５は、透明又は半透明のカバー及びカバーの内部に配置された複数のＬＥＤ等によって構成される。制御部５２は、バルーンカテーテル８０の駆動状態に応じて、パイロットランプ５５の点灯色や点灯状態（常時点灯・点滅・消灯）を変更する。パイロットランプ５５は、例えば、重度の問題（例えば、制御部５２の動作異常やバルーン８２を膨張・収縮するための圧力の異常などのＩＡＢＰ駆動装置１の駆動停止や患者の生命に関わる事象）が生じた警報時には赤色に点灯し、軽微な問題（例えば、放置すると重度な問題を引き起こす可能性のある事象）が生じた警告時には黄色に点灯し、バルーン８２が正常に駆動している場合は緑色に点灯する。パイロットランプ５５は、ＩＡＢＰ駆動装置１０及び被駆動機器であるバルーンカテーテル８０の状態を表すものであり、ベッドサイドモニタ等の警告灯のように、心拍のような患者の状態を直接表すものとは、表示の意味が異なる。
【００２９】
パイロットランプ５５は、筐体正面５１ａと筐体背面５１ｂとを接続する４つの筐体側面を構成する筐体上側面５１ｃ、筐体下側面５１ｄ、筐体左側面５１ｅ、筐体右側面５１ｆのうち、いずれの筐体側面に設けることも可能であるが、筐体正面５１ａ側以外の方向からの視認性を考慮して、筐体上側面５１ｃの中央部に設けられることが好ましい。
【００３０】
衝撃吸収部５７は、筐体側面を構成する筐体上側面５１ｃ、筐体下側面５１ｄ、筐体左側面５１ｅ、筐体右側面５１ｆに沿って帯状に設けられており、万が一落下した時などに生じる衝撃から、モニタ筐体部５１及びパイロットランプ５５を保護する。衝撃吸収部５７の材質は特に限定されないが、ゴム又はエラストマのような弾性を有する材料によって構成される。
【００３１】
衝撃吸収部５７は、モニタ筐体部５１及びパイロットランプ５５を側面外周方向から取り囲むように設けられており、衝撃吸収部５７の一部は、パイロットランプ５５に接触している。図８に示すように、パイロットランプ５５の奥行き方向の長さ（Ｗ１）は、衝撃吸収部５７のうちパイロットランプ５５に接触する部分であるランプカバー部分５７ａの奥行き方向の長さ（Ｗ２）より長く、衝撃吸収部５７から前後にはみ出た状態となっている。これにより、特に側面方向からのパイロットランプ５５の視認性が向上する。なお、奥行き方向とは、筐体正面５１ａと筐体背面５１ｂとを接続する方向を意味する。
【００３２】
図６は、モニタ部５０を背面方向から見た斜視図である。ソケット部５８は、モニタ筐体部５１の筐体背面５１ｂの中央部に配置されている。ソケット部５８は、下方に開く開口５８ｂを有するポケットのような、中空の直方体形状を有している。ソケット部５８に対して、開口５８ｂからモニタ挿入部４０の少なくとも一部が挿入されることにより、モニタ部５０は、モニタ設置部３０に取り付けられる。また、ソケット部５８の下方には、補助係合突起３６が係合するための補助係合受け部６９が形成されている。
【００３３】
図７は、モニタ挿入部４０のソケット部５８への挿入状態を表す模式図であり、モニタ部５０の背面側の内部構造が、点線で表示されている。ソケット部５８は、ソケット部５８における２つの対向面を接続する支柱５８ａを有する。支柱５８ａは、モニタ挿入部４０がソケット部５８に挿入された状態において、第１部分４２ａと第２部分４２ｂとの間に位置する。支柱５８ａは、ソケット部５８内部の中央付近に配置されており、モニタ挿入部４０をソケット部５８に挿入する際、支柱５８ａは、切り込み４３に沿ってモニタ挿入部４０の基端側へ相対移動する。
【００３４】
モニタ筐体部５１の筐体背面５１ｂには、一対のロックレバー６２、６６が配置されている。一対のロックレバー６２、６６は、ソケット部５８に対して挿入方向とは垂直方向の両側に配置されている。ロックレバー６２、６６は、少なくとも一部がソケット部５８内部に挿入される係合突起部６４、６８に接続しており、係合突起部６４、６８は、モニタ挿入部４０がソケット部５８に挿入された状態において、モニタ挿入部４０に形成された受け部に係合する。ロックレバー６２、６６及びこれに接続する係合突起部６４、６８は、モニタ挿入部４０の挿入方向とは垂直方向に可動する。ロックレバー６２、６６は、モニタ部５０の外周側からロックレバー６２、６６に接触するスプリング６７、６３により、背面中央側へ向かって付勢されているため、自由状態において、ロックレバー６２、６６及び係合突起部６４、６８は、図７に示すような中央寄りに位置する。
【００３５】
以下に、モニタ部５０の着脱方法について説明する。
【００３６】
図６に示すモニタ部５０を、図４に示すモニタ設置部３０に取り付ける場合、作業者は、モニタ部５０の背面に形成されたソケット部５８に、モニタ設置部３０のモニタ挿入部４０を挿入する。より具体的には、モニタ挿入部４０の先端が、開口５８ｂからソケット部５８の内部に入っていくように位置を合わせながら、上方からモニタ部５０をモニタ設置部３０に対して近づけていく。
【００３７】
ソケット部５８の内部にモニタ挿入部４０が挿入され始めると、ソケット部５８の内部に配置された支柱５８ａが、分割先端部４２の切り込み４３に誘導され、モニタ部５０とモニタ設置部３０の位置調整が行われる（図７参照）。さらに、モニタ挿入部４０がソケット部５８内に挿入されると、分割先端部４２と、ソケット部５８内に位置する係合突起部６４、６８が接触する。係合突起部６４、６８は、スプリング６３、６７によって中央側に付勢されているが、２つの係合突起部６４、６８は、挿入の進行とともに分割先端部４２によって両側に押し広げられる。したがって、作業者は、モニタ部５０の自重を利用して挿入を進めることで、ロックレバー６２、６６を直接操作しなくても、モニタ部５０の取り付けを行うことができる。
【００３８】
モニタ挿入部４０が、ソケット部５８に対して所定位置まで挿入されると、係合突起部６４、６８は、スプリング６３、６７の付勢力によって中央側に移動し、図７に示すように、分割先端部４２の受け部に係合し、取り付けが完了する。この状態では、上述したように、分割先端部４２の受け部に係合突起部６４、６８が係合しているため、ロックレバー６２、６６を操作せずにモニタ部５０をモニタ設置部３０から取り外すことができない。また、モニタ挿入部４０の挿入と同時に、図４に示す補助係合突起３６が、図６に示す補助係合受け部６９に係合し、モニタ設置部３０によるモニタ部５０の支持を補助する。
【００３９】
図３及び図７に示す状態からモニタ部５０を取り外す場合、作業者は、両方の手を使ってモニタ部５０の両サイドを掴みながら、指をロックレバー６２、６６に引っかけて外側に引き寄せる。これにより、ロックレバー６２、６６に接続する係合突起部６４、６８がソケット部５８の内部で移動し、係合突起部６４、６８と分割先端部４２との係合が解除される。さらに、作業者は、ロックレバー６２、６６を外側に引き寄せたまま、モニタ部５０を上方に引き上げる。このような動作により、ソケット部５８内部の支柱５８ａは、分割先端部４２の切り込み４３に沿って上方に移動し、モニタ挿入部４０はソケット部５８から抜き取られ、モニタ部５０の取り外しが完了する。
【００４０】
本実施形態に係るＩＡＢＰ駆動装置１０では、モニタ部５０の背面に配置されたモニタ接続部としてのソケット部５８に、モニタ挿入部４０を挿入することにより、装置本体２０に対してモニタ部５０を容易に取り付けできる。したがって、ＩＡＢＰ駆動装置１０は、装置本体２０にモニタ部５０を取り付けた使用状態と、装置本体２０から離れた場所にモニタ部５０を設置する使用状態との間で、使用状態を迅速に切り替えることができる。
【００４１】
また、ＩＡＢＰ駆動装置１０のモニタ部５０は、モニタ筐体部５１及びパイロットランプ５５を周方向に取り囲むように、帯状に設けられる衝撃吸収部５７を有するため、モニタ部５０を万が一落下させてしまった場合にも、強い衝撃がモニタ筐体部５１及びパイロットランプ５５に伝わることを防止し、これらが破損又は故障することを防止できる。さらに、衝撃吸収部５７は、モニタ部５０の周方向に連続するように設けられているため、様々な角度からの衝撃に対して、モニタ筐体部５１を保護することができる。
【００４２】
また、衝撃吸収部５７及びパイロットランプ５５の形状は、パイロットランプ５５を衝撃から保護しつつも、パイロットランプの視認性を阻害しない形状となっている。したがって、モニタ部５０を有するＩＡＢＰ駆動装置１０は、装置本体２０にモニタ部５０を取り付けた使用状態と、装置本体２０から離れた場所にモニタ部５０を設置する使用状態との間で、使用状態を頻繁に変更するような使用態様に適している。
【００４３】
また、モニタ筐体部５１が屈曲していることにより、入力操作部５６の操作性が向上するため、このようなモニタ部５０を有するＩＡＢＰ駆動装置１０は、モニタ部５０の設置姿勢を選ばず、装置本体２０に取り付けて設置する使用状態でも、装置本体２０とは異なる場所に設置する使用状態でも、いずれの使用状態でも使い勝手が良い。
【００４４】
また、ＩＡＢＰ駆動装置１０では、モニタ部５０がソケット部５８の両側に配置された一対のロックレバー６２、６６を有するため、モニタ部５０をモニタ設置部３０から取り外す際に、作業者は必然的に両手でモニタ部５０を把持することになるため、作業中にモニタ部５０を落下させる危険性を低減することができる。ＩＡＢＰ駆動装置１０では、信号に含まれるノイズを低減するために制御部５２をモニタ部５０に収納しており、モニタ部５０の自重が重くなっているが、両手でモニタ部５０を操作してもらうことにより、落下による故障や、不慮の事故を防止できる。また、両手でモニタ部５０を把持する際に、筐体側面の衝撃吸収部５７がすべり止めとして機能し、手が滑ってモニタ部５０を落としてしまう危険性を低減できる。
【００４５】
さらに、ＩＡＢＰ駆動装置１０では、ソケット部５８の内部に支柱５８ａが配置されており、モニタ挿入部４０が切り込み４３によって分割された分割先端部４２を有しているため、ソケット部５８に対するモニタ挿入部４０の抜き差しを円滑に行うことができる。また、支柱５８ａがソケット部５８の対向面を接続するためソケット部５８の強度が高く、ソケット部５８の変形が防止される。したがって、図３に示すようにモニタ設置部３０に設置されたモニタ部５０を把持して可動部３４を可動させ、表示部５４の向きを変えるような作業を行っても、ソケット部５８はモニタ挿入部４０から受ける負荷に耐えることができる。また、ＩＡＢＰ駆動装置１０では、図４及び図６に示される補助係合突起３６及び補助係合受け部６９により、ソケット部５８及びモニタ挿入部４０に負荷が集中することを防止し、耐久性を向上させている。
【００４６】
本発明に係るＩＡＢＰ駆動装置１０は、上述した実施形態に限定されず、様々な改変が可能である。たとえば、モニタ部５０の表示部５４は、タッチパネルで構成され、上述した実施形態における入力操作部５６を兼ねていても良い。また、モニタ部５０と装置本体２０との通信は、送受信装置を用いた無線通信であっても良い。
【符号の説明】
【００４７】
１０…ＩＡＢＰ駆動装置
２０…装置本体
２２…本体筐体部
２４…カテーテル接続部
２６…圧力発生手段
３０…モニタ設置部
３４…可動部
４０…モニタ挿入部
４２…分割先端部
４２ａ…第１部分
４２ｂ…第２部分
４３…切り込み
５０…モニタ部
５１…モニタ筐体部
５１ａ…筐体正面
５１ｂ…筐体背面
５１ｃ…筐体上側面
５２…制御部
５４…表示部
５５…パイロットランプ
５６…入力操作部
５７…衝撃吸収部
５７ａ…ランプカバー部分
５８…ソケット部
５８ａ…支柱
５８ｂ…開口
６２、６６…ロックレバー
６４、６８…係合突起部
【図１】
2015188677.tif 000003
【図２】
2015188677.tif 000004
【図３】
2015188677.tif 000005
【図４】
2015188677.tif 000006
【図５】
2015188677.tif 000007
【図６】
2015188677.tif 000008
【図７】
2015188677.tif 000009
【図８】
2015188677.tif 000010